(57)【特許請求の範囲】
【請求項１】
０〜９の数字を形づくるための文字造形具であって、上縁および下縁に沿う２個のピースと、両側縁に沿う４個のピースと、中央に位置する１個のピースとを、隣合うピースと端面を突き合わせるようにして平面的に並べることにより矩形状の文字表示面が生成されるようになっており、各ピースは、表裏両面が同じ形状であってそれぞれの外形が線対称型の板状体であり、裏面に地色のみから成る無表示面、表面に前記無表示面と同じ地色であって０〜９の数字を形づくるストロークの一部分が表されたストローク表示面をそれぞれ有しており、前記ストローク表示面または無表示面のいずれかを表に向け、全個数のピースを決められた位置および向きに隣合うピースと端面を突き合わせて平面的に並べることにより前記文字表示面を生成して各文字を一文字単位で形づくるようにした文字造形具。
【請求項２】
各ピースは、各面に着磁面を備えている請求項１に記載された文字造形具。
【請求項３】
請求項１に記載された文字造形具と、この文字造形具を構成する各ピースが平面的に並べられる提示面を有する掲示具とで構成され、前記文字造形具の各ピースは、各面が前記掲示具の提示面に対して着脱可能に形成されて成る文字表示器。
【請求項４】
前記文字造形具の各ピースの各面に着磁面を形成すると共に、前記掲示板の提示面を磁性体で形成することにより、前記文字造形具の各ピースは、各面が前記掲示具の提示面に対して着脱可能に形成されている請求項３に記載された文字表示器。
【発明の詳細な説明】
【０００１】
【産業上の利用分野】
この発明は、複数個のピースを平面的に組み立てて、０〜９の数字を形づくるようにした文字造形具に関連し、特にこの発明は、同じピースを用いて０〜９の数字を一文字単位で形づくるための文字造形具とこの文字造形具が用いられた文字表示器とに関する。
【０００２】
【従来の技術】
例えばガソリンスタンドでは、従来よりガソリンの１リットル当たりの価格を店頭表示することが行われている。このガソリンの価格を表示するため、各ガソリンスタンドは、表面に「０」から「９」までの数字が個別に表された複数枚の数字プレートと、この数字プレートをはりつけるための掲示具とを用意し、開店前に、当日の価格を表すのに必要な何枚かの数字プレートを抽出して前記掲示具にはりつけている。例えば価格が１０８円であれば、数字「１」「０」「８」がそれぞれ表された３枚の数字プレートが抽出されてはりつけられる。
【０００３】
またスーパーマーケットでは、バーゲンセールと称して、選ばれた特定の商品を適時安価に販売しているが、このような場合にも、商品毎に同様の数字プレートと掲示具とを用いて商品の価格を表示するようにしている。
【０００４】
【発明が解決しようとする課題】
前記した数字プレートを用いて商品の価格などを表すには、各桁毎に「０」から「９」までの１０枚の数字プレートをそれぞれ用意する必要があるため、数字プレートの枚数が嵩み、使用しない多数枚の数字プレートを保管する必要がある。
また表示内容を変更するに際して、掲示具より各数字プレートを順次取り外し、他の数字プレートを順次はりつける必要があるため、作業が煩雑であり、数字プレートの紛失を招き易いという問題もある。
【０００５】
このような問題を解決するのに、電光掲示板を用いるという方法もあるが、この方法では設備費用が高くつき、特に多種類の商品を対象とする場合、多数の電光掲示板を用意する必要があるため、設備費用の面からこの方法を採用することは到底不可能である。
【０００６】
この発明は、上記問題に着目してなされたもので、複数個のピースのうち、いずれかのピースを反転することにより、０〜９の数字を形づくるよう構成することにより、表示変更の作業が容易であり、保管上の問題や紛失などの問題が生ずるおそれがなく、頻繁な表示変更にも対応できる文字造形具およびその文字造形具が用いられた文字表示器を提供することを目的とする。
【０００７】
【課題を解決するための手段】
請求項１の発明は、０〜９の数字を形づくるための文字造形具であって、上縁および下縁に沿う２個のピースと、両側縁に沿う４個のピースと、中央に位置する１個のピースとを、隣合うピースと端面を突き合わせるようにして平面的に並べることにより矩形状の文字表示面が生成されるようになっている。各ピースは、表裏両面が同じ形状であってそれぞれの外形が線対称型の板状体であり、裏面に地色のみから成る無表示面、表面に前記無表示面と同じ地色であって０〜９の数字を形づくるストロークの一部分が表されたストローク表示面をそれぞれ有している。前記ストローク表示面または無表示面のいずれかを表に向け、全個数のピースを決められた位置および向きに隣合うピースと端面を突き合わせて平面的に並べることにより前記文字表示面を生成して各文字を一文字単位で形づくるようにしている。
【０００８】
請求項２の発明では、請求項１に記載された文字造形具において、各ピースは、各面に着磁面を備えている。
【０００９】
請求項３の発明では、請求項１に記載された文字造形具と、この文字造形具を構成する各ピースが平面的に並べられる提示面を有する掲示具とで文字表示器を構成したもので、前記文字造形具の各ピースは、各面が前記掲示具の提示面に対して着脱可能に形成されている。
【００１０】
請求項４の発明では、請求項３に記載された文字表示器において、前記文字造形具の各ピースの各面に着磁面を形成すると共に、前記掲示板の提示面を磁性体で形成することにより、前記文字造形具の各ピースは、各面が前記掲示具の提示面に対して着脱可能に形成されている。
【００１１】
【作用】
形づくりたい数字に応じて、いずれかのピースを選んでストローク表示面を表へ向けることにより、各ストローク表示面に表された数字のストロークの一部分が互いに関わり合って、ひとつの数字が形づくられる。
【００１２】
請求項２の文字造形具では、各ピースは各面に着磁面を備えているので、各ピースはストローク表示面と無表示面のいずれを表へ向けても、磁性体であれば、磁気吸着されて安定状態で保持される。
【００１３】
請求項３の文字表示器では、文字造形具の各ピースは各面が掲示具の掲示面に対して着脱可能であるので、各ピースはストローク表示面と無表示面のいずれを表へ向けても、掲示具の掲示面に安定状態で保持される。
【００１４】
請求項４の文字表示器では、文字造形具の各ピースの各面に着磁面を形成すると共に、掲示具の掲示面を磁性体で形成したので、各ピースはストローク表示面と無表示面のいずれを表へ向けても、掲示具の掲示面に磁気吸着されて、安定状態で保持される。
【００１５】
【実施例】
図１は、この発明の一実施例である文字造形具２およびその文字造形具２が用いられた文字表示器１の外観を示す。
この文字表示器１は、２桁の数字を２個の文字造形具２，２を用いて掲示具３上に可変表示するもので、各桁の文字造形具２，２は平板状の掲示具３の掲示面４に吸着された安定状態で保持されている。
【００１６】
各文字造形具２は、「０」から「９」までの数字を一文字単位で形づくるための平板状の７個のピース５ａ〜５ｇより成り、すべてのピース５ａ〜５ｇを決められた位置に、決められた端面を突き合わせるようにして、前記掲示面４上に平面的に並べることにより、表側に矩形状の文字表示面６が生成される。
【００１７】
各ピース５ａ〜５ｇは、表裏両面が同じ外形、同じ地色（例えば白色）であり、裏面を無表示面１０Ｂ、表面をストローク表示面１０Ａとなす。このストローク表示面１０Ａには、「０」から「９」までのすべての数字を形づくるのに必要な数字のストロークの一部分（以下、「部分ストローク」という）７ａ〜７ｇが印刷などにより表されている。
【００１８】
すべてのピース５ａ〜５ｇは、それぞれの外形が線対称形に形成されており、これにより各ピース５ａ〜５ｇを反転させたとき、元の位置におさまるようになっている。図１には、各ピース５ａ〜５ｇの中心線がａ〜ｇで表してある。
この実施例では、上縁および下縁に沿う２個のピース５ａ，５ｂは高さが低い二等辺三角形に、また両側縁に沿う４個のピース５ｃ〜５ｆは高さが大きい二等辺三角形に、さらに中央に位置する１個のピース５ｇは菱形に、それぞれ形成してあり、これによりいずれの各ピース５ａ〜５ｇについても表裏いずれの面を表側にしても、隣合うピースと端面が突き合わされた適合状態になる。
【００１９】
図１に示す表示状態では、上位の桁の文字造形具２は、全てのピース５ａ〜５ｇのストローク表示面１０Ａが表へ向いており、これにより数字「８」が形づくられている。また下位の桁の文字造形具２は、中央の菱形のピース５ｇのみが無表示面１０Ｂを表へ向け、他のピース５ａ〜５ｆについてはストローク表示面１０Ａを表へ向けており、これにより数字「０」が形づくられている。
【００２０】
同様にして、図２に示すように、右側縁の上位置のピース５ｅについては無表示面１０Ｂを表へ向け、他のピース５ａ〜５ｄ，５ｆ，５ｇについてはストローク表示面１０Ａを表へ向けることにより、数字「６」を形づくることができる。  同様にして、図３に示すように、左側縁の上下のピース５ｃ，５ｄについては無表示面１０Ｂを表へ向け、他のピース５ａ，５ｂ，５ｅ〜５ｇについてはストローク表示面１０Ａを表へ向けることにより、数字「３」を形づくることができる。
【００２１】
図４は、各ピース５ａ〜５ｇの構造を示すもので、芯材１１を中間に挟んでその両面に表層材１２Ａ，１２Ｂが接着剤により貼設されている。前記芯材１１は、全体の厚みを増すためのものであり、この実施例では、芯材１１としてポリエチレン，ウレタンフォームなどの合成樹脂発泡体を用いることにより、全体の厚みは増すが、全体の重量が嵩まないようにしている。
【００２２】
各表層材１２Ａ，１２Ｂは、着磁板１３の表面に塩化ビニルなどの合成樹脂シートより成る表装シート１４を貼り合わせて形成され、この表装シート１４を表側にして芯材１１の表面に貼り合わせてある。各表装シート１４の表面は白地であり、その白地に前記した部分ストローク７ａ〜７ｇを印刷などにより白以外の色彩（例えば黒）で表すことにより前記ストローク表示面１０Ａが形成される。
【００２３】
前記着磁板１３は、表装シート１４の側の表面に片面着磁による着磁面１５が形成されており、従ってその反対側の表面は未着磁面となっている。前記着磁面１５は、例えばＮ，Ｓの極性が交互に反転する帯状の磁極列をもって構成されている。
この着磁板１３は、原料であるフェライト磁石粉末などの永久磁石材料粉末とゴム，弾性プラスチックなどの弾性材料とを混練した後、圧延して薄板状となし、この薄板材の片面に着磁処理を施して前記着磁面１５を形成したものである。
なおピース５ａ〜５ｇは、この実施例のような構造に限らず、１枚の永久磁石板をもって構成してもよい。
【００２４】
前記掲示具３は、合成樹脂製の基板８の表面に鉄板などの磁性板９を接合して形成されており、磁性板９の表面の掲示面４に、前記文字造形具２の各ピース５ａ〜５ｇの表裏両面が磁気吸着されて保持される。
なおこの実施例では、文字造形具２の各ピース５ａ〜５ｇの表裏両面に着磁面を形成すると共に、提示具３の提示面４を磁性体で形成しているが、文字造形具２の各ピース５ａ〜５ｇを磁性体で形成すると共に、提示具３の提示面４に着磁面を形成してもよい。
【００２５】
また上記実施例では、磁気吸着により文字造形具２を保持するようにしているが、これに限らず、例えば各ピース５ａ〜５ｇの表裏両面または提示具３の提示面４に、着磁面に代えて粘着面を形成することにより、その粘着力により各ピース５ａ〜５ｇを掲示具３の掲示面４に保持させることもできる。この場合、粘着剤として、付着と剥離とを繰り返しても、粘着力が失われないものを使用することは勿論である。
【００２６】
図５は、この発明の他の実施例である文字表示器１の構成を示す。
この実施例では、各文字造形具２を構成する各ピース５ａ〜５ｇはプラスチックのような合成樹脂板などで形成され、表面をストローク表示面１０Ａ、裏面を無表示面１０Ｂとなす。また掲示具３の掲示面４には、各文字造形具２の外形に沿う矩形状の凹部１６が形成してある。前記文字造形具２の各ピース５ａ〜５は凹部１６内に嵌め込まれ、これにより脱落せずに安定状態で保持される。
なおこの実施例では、文字造形具２の各ピース５ａ〜５ｇには着磁面を形成しておらず、また掲示具３も磁性体で形成していないが、文字造形具２の各ピース５ａ〜５ｇと掲示具３の一方に着磁面を設け、他方を磁性体で形成すれば、文字造形具２をより安定した状態で保持できる。
【００２７】
図６は、この発明のさらに他の実施例である文字表示器１の構成を示す。
この文字表示器１は、１桁の数字をプラスチックのような合成樹脂板などで形成された１個の文字造形具２を用いて可変表示するためのものであり、前記文字造形具２を構成する各ピース５ａ〜５ｇは、表面をストローク表示面１０Ａ、裏面を無表示面１０Ｂとなし、平板状をなす掲示具３に設けられた矩形状の開口部１７に嵌め込まれている。
【００２８】
前記掲示具３の各端面には、各ピース５ａ〜５ｇの中心線ａ〜ｇに沿って開口部１７に達するピン孔１８ａ〜１８ｇが貫通して開設されると共に、各ピース５ａ〜５ｇの端面にも各ピン孔１８ａ〜１８ｇと対応する位置に中心線ａ〜ｇに沿うピン穴１９ａ〜１９ｇが適当な深さまで開設されている。
前記掲示具３の各ピン孔１８ａ〜１８ｇに対して、先端が各ピース５ａ〜５ｇのピン穴１９ａ〜１９ｇに達する長さのピン２０ａ〜２０ｇを挿入することにより、各ピース５ａ〜５ｇを軸回転可能に支持する。
【００２９】
なお上記の各実施例では、二等辺三角形をなす６枚のピース５ａ〜５ｆと菱形をなす１枚のピース５ｇとで文字造形具２を構成しているが、各ピース５ａ〜５ｇは、外形が線対称形であれば、これらの形状に限られないことは勿論である。
【００３０】
図７は、数字を可変表示するための文字造形具２の他の実施例を示す。
図示例の文字造形具２も、「０」から「９」までの数字を形づくるための７個のピース５ａ〜５ｇより成るもので、すべてのピース５ａ〜５ｇを決められた位置に、決められた端面を突き合わせるようにして、板面上に平面的に並べることにより、表側に矩形状の文字表示面６が生成される。
【００３１】
各ピース５ａ〜５ｇは、表裏両面が同じ形状、同じ地色（例えば白色）であり、裏面を無表示面１０Ｂ、表面をストローク表示面１０Ａとなす。このストローク表示面１０Ａには、「０」から「９」までのすべての数字を形づくるのに必要な部分ストローク７ａ〜７ｇが印刷などにより表されている。
すべてのピース５ａ〜５ｇは、それぞれの外形が線対称形に形成されており、これにより各ピース５ａ〜５ｇを反転させても元の位置におさまるようになっている。なお同図には、各ピース５ａ〜５ｇの中心線がａ〜ｇで表してある。
【００３２】
この実施例では、上縁に沿うピース５ａは下側に、また下縁に沿うピース５ｂは上側に、それぞれ矩形状の突起部分を有する横に長い形態に形成してある。また両側縁に沿う各ピース５ｃ〜５ｆは上側および下側に前記突起部分が嵌まる矩形状の凹み部分を有する形態に形成し、さらに中央に位置するピース５ｇは上側および下側に前記凹み部分に嵌まる矩形状の突起部分を有する横に長い形態に形成してある。これによりいずれの各ピース５ａ〜５ｇを表裏いずれの面を表へ向けても、隣のピースと端面が突き合わされた適合状態となる。
【００３３】
図７に示す表示状態では、この文字造形具２は、全てのピース５ａ〜５ｇのストローク表示面１０Ａを表へ向けることにより数字「８」を形づくっているが、例えば図８に示すように、右側縁の上位置のピース５ｅのみを反転させて無表示面１０Ｂを表へ向ければ、数字「６」を形づくることができ、また図９に示すように、左側縁の上下のピース５ｃ，５ｄを反転させて無表示面１０Ｂを表へ向ければ、数字「３」を形づくることができる。
【００３４】
図１０は、数字を可変表示するための文字造形具２のさらに他の実施例を示している。
図示例の文字造形具２は、図１の実施例で用いられた文字造形具２を改良して各数字の形態を一層整えたもので、上縁および下縁に沿う２個のピース５ａ，５ｂは二等辺三角形の底辺部分が両側方へ突出した線対称の形態に、また両側縁に沿う４個のピース５ｃ〜５ｆは二等辺三角形の底辺部分の両端が削られた線対称の形態に、それぞれ形成されると共に、各ピース５ａ〜５ｇのストローク表示面１０Ａに表される部分ストローク７ａ〜７ｇの幅が厚く設定されている。
なお各ピース５ａ〜５ｇは、表裏両面が同じ形状、同じ地色に設定されて、裏面を無表示面１０Ｂとなすことは上記実施例と同様である。
【００３５】
つぎに上記した各実施例について、文字の造形方法および表示方法を説明する。
まず図１の実施例では、数字を表示しないときは、文字造形具２のすべてのピース５ａ〜５ｇを、無表示面１０Ｂを表に向けて掲示具３の掲示面４上に並べる。このとき文字表示面６は地色のみの無表示の状態となる。また各ピース５ａ〜５ｇは磁気吸着により掲示面４上に安定状態で保持されて脱落することはない。
【００３６】
「０」から「９」までのいずれかの数字を表示したいとき、その文字に応じていくつかのピース５を選んでストローク表示面１０Ａを表に向け、残りのピースは無表示面１０Ｂを表に向ける。これによりストローク表示面１０Ａの部分ストロークが互いに関わり合って数字が形づくられる。このとき各ピース５ａ〜５ｇは磁気吸着により掲示面４上に安定状態で保持され、脱落したり、位置ずれしたりすることはない。
【００３７】
図５の実施例については、選ばれたピースを凹部１６内より取り出して反転させてストローク表示面１０Ａを表に向け、元の位置にはめ込むことにより所望の数字を表わすことができる。この実施例では、各ピース５ａ〜５ｇは掲示板３の凹部１６内に嵌まって安定状態で保持されるので、各ピース５ａ〜５ｇが脱落したり位置ずれしたりすることはない。
【００３８】
図６の実施例については、選ばれたピースを半回転させればストローク表示面１０Ａが表に向き、所望の数字を表すことができる。この実施例では、各ピース５ａ〜５ｇはピン２０ａ〜２０ｇにより支持されているので、脱落したり位置ずれしたりすることはない。
図７および図１０の実施例についても、選ばれたピースを反転させることにより所望の数字を表すことができる。
【００３９】
【発明の効果】
この発明は上記の如く、７個のピースを平面的に並べることにより矩形状の文字表示面を生成するようになし、各ピースには、地色のみから成る無表示面と、前記無表示面と同じ外形および地色であって０〜９の数字を形づくるストロークの一部分が表されたストローク表示面とを形成したから、いずれかのピースを選んでストローク表示面を表へ向けることにより、０〜９の数字を一文字単位で容易に形づくることができると共に、造形すべき数字を容易に変更できる。また０〜９の数字を表すのに、同じピースを用いるから、ピースの余りが生じず、保管上の問題も生じない。
【００４０】
さらに、各ピースは、それぞれの外形が線対称形の板状体であり、表面にストローク表示面、裏面に無表示面を備えており、全個数のピースを決められた位置および向きに平面的に並べることにより、前記文字表示面を生成するようにしたから、各ピースを決められた位置で反転することにより、数字の造形や変更が可能である。
【００４１】
請求項２の発明では、各ピースは各面に着磁面を備えているから、磁性体であれば、どのような面にも各ピースを磁気吸着させることができ、安定状態で数字を表示できる。
【００４２】
請求項３の発明では、文字造形具の各ピースの各面を掲示具の掲示面に対して着脱可能に形成したから、各ピースを掲示具の掲示面に付着させることができ、安定状態で数字を表示できる。
【００４３】
請求項４の発明では、文字造形具の各ピースの各面に着磁面を形成すると共に、掲示具の掲示面を磁性体で形成したから、各ピースを掲示具の掲示面に磁気吸着させることができ、安定状態で数字を表示できる。
【図面の簡単な説明】
【図１】この発明の一実施例である文字造形具およびその文字造形具が用いられた文字表示器の外観を示す斜視図である。
【図２】図１の文字造形具により数字の「６」を造形した状態を示す正面図である。
【図３】図１の文字造形具により数字の「３」を造形した状態を示す正面図である。
【図４】ピースの構造を示す断面図である。
【図５】この発明の他の実施例である文字表示器の構成を示す分解斜視図である。
【図６】この発明の他の実施例である文字表示器の構成を示す正面図である。
【図７】この発明の他の実施例である文字造形具の構成を示す正面図である。
【図８】図７の文字造形具により数字の「６」を造形した状態を示す正面図である。
【図９】図７の文字造形具により数字の「３」を造形した状態を示す正面図である。
【図１０】この発明の他の実施例である文字造形具の構成を示す正面図である。
【符号の説明】
１    文字表示器
２    文字造形具
３    掲示具
４    掲示面
５，５ａ〜５ｌ  ピース
６    文字表示面
７ａ〜７ｌ，７Ａ〜７Ｄ  部分ストローク
１０Ａ  ストローク表示面
１０Ｂ  無表示面
１５  着磁面
【図１】
0003582801.tif 000002
【図２】
0003582801.tif 000003
【図３】
0003582801.tif 000004
【図４】
0003582801.tif 000005
【図５】
0003582801.tif 000006
【図６】
0003582801.tif 000007
【図７】
0003582801.tif 000008
【図８】
0003582801.tif 000009
【図９】
0003582801.tif 000010
【図１０】
0003582801.tif 000011